(57)【特許請求の範囲】
【請求項１】
車椅子の背もたれフレーム（１２）に着脱自在に装着することができるヘッドレスト（１００）であって、
車椅子の背もたれフレーム（１２）に挟着するための挟着部（１９）を一方端に有し、他方端に嵌着部（２０）を有する本体パイプ固定金具（２１）と、
該本体パイプ固定金具（２１）が前記嵌着部（２０）を介して取着されるコの字状の本体パイプ（２５）と、
該本体パイプ（２５）の上部に握着する握着部（２２）及び嵌挿部（２８）を有する調整パイプ固定金具（２３）と、
該調整パイプ固定金具（２３）の前記嵌挿部（２８）に嵌挿された調整パイプ（２６）と、
該調整パイプ（２６）の先端にボールジョイントで回動自在に着設されたヘッドレスト（１８）と、を備えており、
前記本体パイプ固定金具（２１）に着設された調整ノブ（２４）を緩めて、前記本体パイプ固定金具（２１）の取着角度を調整可能であることを特徴とする車椅子用の調整式ヘッドレスト。
【請求項２】
本体パイプの上部が２分割され、２分割された本体パイプの一方側に内管の一方端を挿入固定し、本体パイプの他方側に内管の他方端を摺動自在に挿入して、本体パイプの巾の調節が可能であることを特徴とする請求項１に記載の車椅子用の調整式ヘッドレスト。
【発明の詳細な説明】
【技術分野】
【０００１】
本発明は車椅子の背もたれフレームに着設することができる調整式ヘッドレストに関する。より詳しくは、車椅子に着脱自在に着設することができ、しかも、上下、左右に位置の調節ができる車椅子用の調整式ヘッドレストに関する。
【背景技術】
【０００２】
車椅子の利用者は座位を長時間に亘って保持することが難しく、特に頭部を支えるヘッドレストの位置は、利用者の体格や症状によって様々である。また、ヘッドレストを固定する車椅子も各メーカー、機種毎に様々であるために車椅子の利用者にとってヘッドレストを自分の体に適合した位置に調整させることは困難であった。そこで上記要望に応えるべく種々のヘッドレストの形状が考案されている。
【０００３】
特許文献１のヘッドレストは、請求項１に記載の通り、「車椅子に、着座した利用者が頭をもたれかけるヘッドレスト部を着脱自在に取り付ける車椅子用ヘッドレストにあって、車椅子の後方へ突出されるハンドル及びハンドルから下方へ延設される基枠にそれぞれ左右で固着される取付部と、それらの取付部間で連結され、取付部間の間隔を車椅子の幅に適応させ伸縮する幅調整部と、一方の取付け部に係合し車椅子に着座した利用者の頭部に対しヘッドレストの高さ及び前後位置を調整できる位置調整部とを備えることを特徴とする車椅子用ヘッドレスト。」が開示されている。
【０００４】
特許文献２のヘッドレストは、請求項１に記載の通り、「車椅子における左右の手押し用ハンドルに、立設姿勢で着脱可能に結合される左、右の棒状をなす支持部材と、両支持部材の上端部に、軸により枢着される略水平な姿勢のベース部材と、該ベース部材に上下動、固定自在に取り付けられ、かつ、前面側にヘッドレストを取り付けたポスト部材とを具備して成り、車椅子が折り畳まれてその左右の手押し用ハンドルが接近すると、左、右の支持部材がベース部材への枢着点を中心にして互いに接近して折り畳まれるようにしたことを特徴とする車椅子用の頭部支持装置。」が開示されている。
【０００５】
特許文献３のヘッドレストは請求項１に記載の通り、「乗員の頭部を支持するための枕部を車椅子に着脱自在に取付け可能としたヘッドレスト機構であって、枕部と、枕部を両側から持ち上げるように支持する逆略U字形の支持パイプと、取付手段とからなっており、取付手段は、支持パイプの両下端部を車椅子の背凭れフレームに着脱自在に固定するようになっていることを特徴とする車椅子用ヘッドレスト機構。」が開示されている。
【０００６】
特許文献４のヘッドレストは、請求項１に記載の通り、「車内の天井取付け部から下方に延びる２本の支持棒と、２本の支持棒に保持された枕部と、各支持棒の下端に設けられた当接部とを備え、２本の支持棒が、車内に載せられた車椅子の背凭れのグリップに上方から当接部を当接させた状態で、天井取付け部に対して固定されるようになっていることを特徴とする車搭載用車椅子ヘッドレスト機構。」が開示されている。
【０００７】
特許文献２のヘッドレストの位置調節は３つの操作ツマミによって左右、前後、上下に調節可能となっている。しかし、これらの操作ツマミはヘッドレストの背面のブラケット、ブラケットに支持された取り付け金具、取付け金具をポスト部材に緊締する緊締金具の３箇所に、それぞれ異なる位置に着設されており、その角度、上下の調節は難しい。他の特許文献はヘッドレストの上下の高さ調整は可能であるが、角度の調整はできない。着設自在で、左右と前後の角度、高さの調整が簡単にできるヘッドレストの出現が望まれていた。
【特許文献１】特開平１１−２４４３３６号公報
【特許文献２】特開２００１−２９３０３６号公報
【特許文献３】特開２００１−３２７５３９号公報
【特許文献４】特開２００１−３２７５４１号公報
【発明の開示】
【発明が解決しようとする課題】
【０００８】
本発明は、様々な種類の車椅子に着設することが可能で、着脱自在で、高さの調節はもとより、横方向への移動調節も可能な調整式ヘッドレストを提供するものである。
【課題を解決するための手段】
【０００９】
上記課題を解決するために鋭意検討を加えた結果、高さの調節をすることができるのみならず、横方向の調節を可能として、様々な種類の車椅子に対応できるヘッドレストの考案に成功した。
【００１０】
本発明の第一の特徴は、車椅子の背もたれフレーム（１２）に着脱自在に装着することができるヘッドレスト（１００）であって、車椅子の背もたれフレーム（１２）に挟着するための挟着部（１９）を一方端に有し、他方端に嵌着部（２０）を有する本体パイプ固定金具（２１）と、該本体パイプ固定金具（２１）が前記嵌着部（２０）を介して取着されるコの字状の本体パイプ（２５）と、該本体パイプ（２５）の上部に握着された握着部（２２）及び嵌挿部（２８）を有する調整パイプ固定金具（２３）と、該調整パイプ固定金具（２３）の前記嵌挿部（２８）に嵌挿された調整パイプ（２６）と、該調整パイプ（２６）の先端にボールジョイントで回動自在に着設されたヘッドレスト（１８）と、を備えており、前記本体パイプ固定金具（２１）に着設された調整ノブ（２４）を緩めて、前記本体パイプ固定金具（２１）の取着角度を調整可能であることを特徴とする車椅子用の調整式ヘッドレストである。ヘッドレストの位置を前後に調節し得るとともに、ボールジョイントを使用することにより、ヘッドレストの微妙な位置調整を可能とした。
【００１１】
本発明の第二の特徴は、本体パイプの上部が２分割され、２分割された本体パイプの一方側に内管の一方端を挿入固定し、本体パイプの他方側に内管の他方端を摺動自在に挿入して、本体パイプの巾の調節が可能であることを特徴とする請求項１に記載の車椅子用の調整式ヘッドレストである。座乗者の病状、姿勢に応じて頭の位置を一定に保てるように、ヘッドレストの位置を左右方向においても調節可能とした。
【発明の効果】
【００１２】
座乗者の病状、姿勢に応じて頭の位置をどのような位置にでも保てるように、ヘッドレストを調整パイプにボールジョイントを用いて着設し、左右、上下に調節可能とした。調整パイプは本体パイプに調整パイプ固定金具を用いて着設し、ヘッドレストの位置を前後左右に移動調節可能とした。また、本体パイプは車椅子の背もたれフレームに本体パイプ固定金具で上下に調節して装着できるようにすると共に、幅の異なる車椅子の背もたれフレームにも装着できるように、本体パイプの幅を調節できるようにした。
【発明を実施するための最良の形態】
【００１３】
以下に本発明の調整式ヘッドレストについて詳細に説明するが、本発明のヘッドレストは、以下の実施例に限定されるものではない。本発明の調整式ヘッドレストを着設する車椅子は、背もたれフレーム又は後部フレームが別途着設されたタイプの車椅子等、車椅子の後部に本発明の調整式ヘッドレストを着設することができればどのようなタイプの車椅子であってもよい。
【００１４】
図１は、把持部１１を有する背もたれフレーム１２と座部１４とフットレスト１５を有する本体フレーム１６に主車輪１７が着設された自走用の車椅子の背もたれフレーム１２に、本発明の調整式ヘッドレスト１００を装着した側面図である。背もたれフレーム１２の中程に本体パイプ固定金具２１でもって調整式ヘッドレスト１００が着設されている。
【００１５】
図２Ａに示すように、車椅子の背もたれフレーム１２に着脱自在に装着することができる調整式ヘッドレスト１００は、ヘッドレスト１８と調整パイプ２６と本体パイプ２５よりなっている。ヘッドレスト１８は調整パイプ２６の先端にボールジョイント３３で回動自在に着設されている。ヘッドレスト１８を着設した調整パイプ２６は嵌挿部２８と握着部２２を有する調整パイプ固定金具２３の握着部２２を介して本体パイプ２５の上部に接続される。略コの字状の本体パイプ２５には、一方端に嵌着部２０と他方端に挟着部１９を有する本体パイプ固定金具２１の嵌着部２０を介して本体パイプ固定金具２１が取着されている。本体パイプ固定金具２１の挟着部１９は本体パイプ２５を背もたれフレーム１２に挟み込んで、ボルト３４で固定する。
【００１６】
図２Ｂは、調整式ヘッドレスト１００を車椅子の背もたれフレーム１２に着設する本体パイプ固定金具２１の挟着部１９を背もたれフレーム１２に固定するに際して、本体パイプ固定金具２１の挟着部１９を背もたれフレーム１２に挟み込んで、ボルト３４で固定する代わりに手で締め付けて固定することができる調整ノブ２７を有するタイプを示している。本体パイプ２５を背もたれフレーム１２に挟着する場合に手で締め付けたり、緩めたりできる調整ノブ２７を着設することによって、調整式ヘッドレスト１００を簡単に取り外したり、必要に応じて着設したりすることが出来る。
【００１７】
図３Ａは、本発明の調整式ヘッドレスト１００の側面からの形状を示している。本発明の調整式ヘッドレスト１００は本体パイプ２５の上部に、ボールジョイント３３を介してヘッドレスト１８が着設された調整パイプ２６が枢着されている。この調整パイプ２６は嵌挿部２８と握着部２２を有する調製パイプ固定金具２３の嵌挿部２８に嵌挿されている。本体パイプ２５の両側には車椅子の両側の背もたれフレーム１２に挟着する本体パイプ固定金具２１が嵌着されている。本体パイプ固定金具２１の挟着部１９は開閉可能となっており、様々な車椅子の背もたれフレーム１２に挟着することができる（図２Ａ、２Ｂ参照）。
【００１８】
図３Ｂに示すように、ヘッドレスト１８の前後の調整をする場合は、調整パイプ固定金具２３に着設された調整ノブ２９を緩めてヘッドレスト１８を任意の位置に調整し、調整ノブ２９を締め付けて固定する。
【００１９】
図３Ｃは、調整式ヘッドレスト１００のヘッドレスト１８を図３Ａに示す真っ直ぐな状態から上又は下に向けた状態を示している。ボールジョイント３３を使用することによって、座乗者に合わせてヘッドレスト１８の角度を上下左右に変更可能となった。
【００２０】
図４は調整パイプ２６を取り付けるための調整式ヘッドレスト１００用の本体パイプ２５である。本体パイプ２５の上部の端部側を切断して、切断した本体パイプの一方端に内管３１を挿入固定し、内管３１の自由端を本体パイプ２５の他方端に摺動自在に挿入する。内管３１と本体パイプ２５の適当な位置にボルト孔３６を数カ所穿設して、本体パイプ２５の幅の調節を可能とした。調整式ヘッドレスト１００を横幅の異なる車椅子の背もたれフレームに着設する場合に、車椅子の背もたれフレーム１２の幅に合わせて本体パイプ２５の内管３１を摺動させて、本体パイプ２５の幅を調節し、ボルト３５で固定する。
【００２１】
図５Ａは本体パイプ２５の上に調整パイプ２６を調整パイプ固定金具２３の握着部２２で握着固定した調整パイプ２６の先端にヘッドレスト１８を着設した背面を示している。調整式ヘッドレスト１００は、図３Ａに示すようにヘッドレスト１８の後部にボールジョイント３３をボールジョイント固定金具３０を用いて固定されている。図３Ｃに示すようにヘッドレスト１８の角度を上下左右に調整する場合には、図５Ａに示す調整レバー３２を上げてヘッドレスト１８の角度を調整して、調整レバー３２を下ろしてヘッドレスト１８を固定する。ボールジョイント３３を用いることによって、ヘッドレスト１８の微妙な位置調整も可能となった。調整レバー３２はボルト３５を締め付けることで強固に固定することが出来る。
【００２２】
図５Ｂに示すように、ヘッドレスト１８を横方向に調整する場合は、調整パイプ固定金具２３の握着部２２に着設したボルト３７を緩めて、ヘッドレスト１８を本体パイプ２５上の任意の位置に調整し、ボルト３７を締め付けて固定する。
【００２３】
図５Ｃは調整式ヘッドレスト１００の高さの調整方法を図示している。本体パイプ固定金具２１に着設された調整ノブ２４を緩めて、調整式ヘッドレスト１００を任意の高さに調整後、調整ノブ２４を締め付けて固定する。また、本体パイプ固定金具２１に着設された調整ノブ２４を緩めることで、調整式ヘッドレスト１００を簡単に取り外すことが出来るので、調整式ヘッドレスト１００を着設した車椅子を折りたたむ際は、調整ノブ２４を緩めて、調整式ヘッドレスト１００を取り外して車椅子を折りたたむ。
【００２４】
図６Ａに示すように、車椅子の背もたれフレーム１２の幅が異なっていても、本体パイプ固定金具２１に着設された調整ノブ２４を緩めて、本体パイプ固定金具２１の角度を調整することで、簡単に幅を調整することができる。
【００２５】
図６Ｂは、調整式ヘッドレスト１００の上面図である。調整パイプ２６の先端部に着設されたボールジョイント３３の調整レバー３２（図５Ａ参照）を緩めて、ヘッドレスト１８の角度を座乗者の姿勢に合わせて左右に調整することができる。
【図面の簡単な説明】
【００２６】
【図１】調整式のヘッドレストを装着した車椅子の側面図。
【図２Ａ】調整式のヘッドレストの上面図。
【図２Ｂ】調整式のヘッドレストの上面図。
【図３Ａ】調整式のヘッドレストの側面図。
【図３Ｂ】調整式のヘッドレストの側面図。
【図３Ｃ】調整式ヘッドレストの側面図。
【図４】本体パイプの側面図。
【図５Ａ】調整式のヘッドレストの背面図。
【図５Ｂ】調整式のヘッドレストの背面図。
【図５Ｃ】調整式ヘッドレストの背面図。
【図６Ａ】調整式のヘッドレストの上面図。
【図６Ｂ】調整式のヘッドレストの上面図。
【符号の説明】
【００２７】
１００：調整式のヘッドレスト
１０：車椅子
１１：ハンドル
１２：背もたれフレーム
１３：アームレスト
１４：座部
１５：フットレスト
１６：本体フレーム
１７：主車輪
１８：ヘッドレスト
１９：挟着部
２０：嵌着部
２１：本体パイプ固定金具
２２：握着部
２３：調整パイプ固定金具
２４：調整ノブ
２５：本体パイプ
２６：調整パイプ
２７：調整ノブ
２８：嵌挿部
２９：調整ノブ
３０：ボールジョイント固定金具
３１：本体パイプの内管
３２：調整レバー
３３：ボールジョイント
３４：ボルト
３５：ボルト
３６：ボルト孔
３７：ボルト
【図１】
0004817833.tif 000002
【図２Ａ】
0004817833.tif 000003
【図２Ｂ】
0004817833.tif 000004
【図３Ａ】
0004817833.tif 000005
【図３Ｂ】
0004817833.tif 000006
【図３Ｃ】
0004817833.tif 000007
【図４】
0004817833.tif 000008
【図５Ａ】
0004817833.tif 000009
【図５Ｂ】
0004817833.tif 000010
【図５Ｃ】
0004817833.tif 000011
【図６Ａ】
0004817833.tif 000012
【図６Ｂ】
0004817833.tif 000013